(57)【要約】      （修正有）【課題】より簡易な構造で水の流出口を選択できるタイマ付の蛇口用連結具を提供する。【解決手段】蛇口用連結具１は、蛇口接続部１１と蛇口接続部１１よりも下側に設けられる連結具本体固定部１２とを有する蛇口固定部１０と、連結具本体固定部１２に固定され、蛇口からの水Ｗを受け入れる流入口２１を有する連結具本体２０とを備え、流入口２１から流入する水Ｗを通水状態から所定時間で止水状態に切換える止水手段２２と、止水手段２２の止水手段流出口２２０よりも下流に設けられる少なくとも２つの流出口と、止水手段流出口２２０から流出する水Ｗをいずれの流出口に供給するかを選択する流出口選択手段２３とを有する。【選択図】図２
0003190281.tif 000002
【実用新案登録請求の範囲】
【請求項１】
蛇口用連結具であって、
蛇口接続部と前記蛇口接続部よりも下側に設けられる連結具本体固定部とを有する蛇口固定部と、
前記連結具本体固定部に固定され、前記蛇口からの水を受け入れる流入口を有する連結具本体とを備え、
前記連結具本体が前記流入口から流入する水を通水状態から所定時間で止水状態に切換える止水手段と、前記止水手段の止水手段流出口よりも下流に設けられる少なくとも２つの流出口と、前記止水手段流出口から流出する水をいずれの前記流出口に供給するかを選択する流出口選択手段とを有する
ことを特徴とする蛇口用連結具。
【請求項２】
前記止水手段が、前記流入口に連通する第１流路と、前記第１流路の第１流出口端部を開閉する弁と、前記第１流出口端部から流出する水を前記止水手段流出口に導く第２流路と、前記弁に一端側が接続されたピンと、前記ピンを所定時間だけ前記一端側に移動させる移動機構とを備え、
前記ピンが、前記移動機構で前記所定時間だけ前記一端側に移動され、それに伴い前記弁も前記所定時間だけ前記第１流出口端部から離間し、前記弁が離間する前記所定時間の間、前記第１流出口端部から前記止水手段流出口へ水が流出する
ことを特徴とする請求項１に記載の蛇口用連結具。
【請求項３】
前記移動機構が、前記ピンの他端側端面が当接する当接面を有するダイヤル部と、前記ダイヤル部に設けられたダイヤル部材の回転方向と逆方向に前記所定時間をかけて前記ダイヤル部材を回転させて回転前の初期位置に戻す前記ダイヤル部材に接続された発条とを備え、
前記当接面が前記ダイヤル部材の回転に応じて前記ピンの当接位置を前記一端側に移動させるように形成されていることを特徴とする請求項２に記載の蛇口用連結具。
【請求項４】
前記ダイヤル部材が前記発条による回転力によって回転しないようにする回転停止手段を有する
ことを特徴とする請求項３に記載の蛇口用連結具。
【請求項５】
前記連結具本体が、前記止水手段流出口が形成された内側周面と前記流出口に連通する複数の流入開口が形成された底部とを有する筒状空間を備え、
前記流出口選択手段が前記筒状空間内に回転可能に配置された筒状部材からなり、
前記筒状部材が、前記筒状部材の側周部に前記止水手段流出口に対応する孔と前記筒状部材の底部に前記流入開口に対応する孔とを有し、
前記孔が、前記各流入開口に対応する前記筒状部材の回転位置を選択した場合に、その対応する前記流入開口と前記止水手段流出口とだけに連通するように形成されている
ことを特徴とする請求項１から請求項４のいずれか１項に記載の蛇口用連結具。
【請求項６】
前記筒状部材に一方が接続され、他方に軸部を有する操作部材と、
前記軸部に装着される摘み部材と、
前記筒状空間の前記底部に対向する前記連結具本体の側部に形成され、前記筒状空間を外部に開口する開口部と、
前記開口部を塞ぐように設けられ、前記軸部を挿通する挿通孔を有する蓋部材とを備え、
前記筒状部材及び前記操作部材が前記開口部から前記筒状空間内に挿入され、
前記蓋部材が、前記軸部を前記挿通孔に挿通して前記軸部を連結具本体の外部に突出させた状態で前記開口部を塞ぎ、
前記摘み部材が、前記外部に突出した前記軸部に装着されている
ことを特徴とする請求項５に記載の蛇口用連結具。
【請求項７】
前記流出口の１つの流出口である流出口Ａに連通して設けられ、前記流出口Ａから流出する水の流出状態を変える流出状態切換手段を有する
ことを特徴とする請求項１から請求項６のいずれか１項に記載の蛇口用連結具。
【請求項８】
前記流出口Ａが連結具本体の下方に設けられ、
前記流出状態切換手段が前記流出口Ａの下方に設けられている
ことを特徴とする請求項７に記載の蛇口用連結具。
【請求項９】
前記連結具本体が、前記流出口の１つの流出口である流出口Ｂを前記連結具本体の側部に有する
ことを特徴とする請求項１から請求項８のいずれか１項に記載の蛇口用連結具。
【請求項１０】
前記流出口が２つである
ことを特徴とする請求項１から請求項９のいずれか１項に記載の蛇口用連結具。
【考案の詳細な説明】
【技術分野】
【０００１】
本考案は、水の流出口を選択できるタイマ付の蛇口用連結具に関する。
【背景技術】
【０００２】
圧力水源である蛇口とホース、スプリンクラ等とを連結するために蛇口用連結具が用いられる。例えば、圧力水源に連結される入口と、入口に対応した水の流出口との間に主閉止弁を備え、所定時間後に水を閉止する散水用のタイマが知られている（例えば、特許文献１参照）。
【先行技術文献】
【特許文献】
【０００３】
【特許文献１】特公平７−９９２１０号公報
【考案の概要】
【考案が解決しようとする課題】
【０００４】
本考案は、より簡易な構造で水の流出口を選択できるタイマ付の蛇口用連結具を提供する。
【課題を解決するための手段】
【０００５】
（１）本願考案に係る態様は、蛇口用連結具であって、蛇口接続部と蛇口接続部よりも下側に設けられる連結具本体固定部とを有する蛇口固定部と、連結具本体固定部に固定され、蛇口からの水を受け入れる流入口を有する連結具本体とを備え、連結具本体が流入口から流入する水を通水状態から所定時間で止水状態に切換える止水手段と、止水手段の止水手段流出口よりも下流に設けられる少なくとも２つの流出口と、止水手段流出口から流出する水をいずれの流出口に供給するかを選択する流出口選択手段とを有することを特徴とする蛇口用連結具を提供する。
（２）止水手段が、上記（１）に記載の蛇口用連結具において、流入口に連通する第１流路と、第１流路の第１流出口端部を開閉する弁と、第１流出口端部から流出する水を止水手段流出口に導く第２流路と、弁に一端側が接続されたピンと、ピンを所定時間だけ一端側に移動させる移動機構とを備え、ピンが、移動機構で所定時間だけ一端側に移動され、それに伴い弁も所定時間だけ第１流出口端部から離間し、弁が離間する所定時間の間、第１流出口端部から止水手段流出口へ水が流出する蛇口用連結具を提供する。
（３）移動機構が、上記（２）に記載の蛇口用連結具において、ピンの他端側端面が当接する当接面を有するダイヤル部と、ダイヤル部に設けられたダイヤル部材の回転方向と逆方向に所定時間をかけてダイヤル部材を回転させて回転前の初期位置に戻すダイヤル部材に接続された発条とを備え、当接面がダイヤル部材の回転に応じてピンの当接位置を一端側に移動させるように形成されている蛇口用連結具を提供する。
（４）ダイヤル部材が、上記（３）に記載の蛇口用連結具において、発条による回転力によって回転しないようにする回転停止手段を有する蛇口用連結具を提供する。
（５）連結具本体が、上記（１）から（４）のいずれかに記載の蛇口用連結具において、止水手段流出口が形成された内側周面と流出口に連通する複数の流入開口が形成された底部とを有する筒状空間を備え、流出口選択手段が筒状空間内に回転可能に配置された筒状部材からなり、筒状部材が、筒状部材の側周部に止水手段流出口に対応する孔と筒状部材の底部に流入開口に対応する孔とを有し、孔が、各流入開口に対応する筒状部材の回転位置を選択した場合に、その対応する流入開口と止水手段流出口とだけに連通するように形成された蛇口用連結具を提供する。
（６）上記（５）に記載の蛇口用連結具において、筒状部材に一方が接続され、他方に軸部を有する操作部材と、軸部に装着される摘み部材と、筒状空間の底部に対向する連結具本体の側部に形成され、筒状空間を外部に開口する開口部と、開口部を塞ぐように設けられ、軸部を挿通する挿通孔を有する蓋部材とを備え、筒状部材及び操作部材が開口部から筒状空間内に挿入され、蓋部材が、軸部を挿通孔に挿通して軸部を連結具本体の外部に突出させた状態で開口部を塞ぎ、摘み部材が、外部に突出した軸部に装着されている蛇口用連結具を提供する。
（７）上記（１）から（６）のいずれかに記載の蛇口用連結具において、流出口の１つの流出口である流出口Ａに連通して設けられ、流出口Ａから流出する水の流出状態を変える流出状態切換手段を有していてもよい。
（８）上記（５）に記載の蛇口用連結具において、流出口Ａが連結具本体の下方に設けられ、流出状態切換手段が流出口Ａの下方に設けられていてもよい。
（９）連結具本体が、上記（１）から（８）のいずれかに記載の蛇口用連結具において、流出口の１つの流出口である流出口Ｂを連結具本体の側部に有していてもよい。
（１０）上記（１）から（９）のいずれかに記載の蛇口用連結具において、流出口が２つであってもよい。
【考案の効果】
【０００６】
本考案によれば、より簡易な構造で水の流出口を選択できるタイマ付の蛇口用連結具を提供できる。
【図面の簡単な説明】
【０００７】
【図１】本考案の実施形態に係る蛇口用連結具の斜視図である。
【図２】蛇口用連結具の図１におけるＡ´−Ａ´断面斜視図である。
【図３】（ａ）は通水状態を示す弁付近の図１におけるＡ´−Ａ´拡大断面斜視図、（ｂ）は止水状態を示す弁付近の図１におけるＡ´−Ａ´拡大断面斜視図である。
【図４】発条側から見た移動機構の分解斜視図である。
【図５】ダイヤル部材側から見た移動機構の分解斜視図である。
【図６】発条側から見たダイヤル部材の斜視図である。
【図７】（ａ）はダイヤル部材の裏側から見た回転停止手段付近の斜視図、（ｂ）はダイヤル部材側から見た移動機構の分解斜視図である。
【図８】図１におけるＢ´−Ｂ´線で切断した時のタイマ構造より下部の部分を示した断面斜視図であり、流出口Ａから水が流出する状態を示した図である。
【図９】図１におけるＢ´−Ｂ´線で切断した時のタイマ構造より下部の部分を示した断面斜視図であり、流出口Ｂから水が流出する状態を示した図である。
【図１０】（ａ）は小径流出状態での流出状態切換手段を示す斜視図、（ｂ）は切換え部材を取り除いた斜視図である。
【図１１】（ａ）は大径流出状態での流出状態切換手段を示す斜視図、（ｂ）は切換え部材を取り除いた斜視図である。
【考案を実施するための形態】
【０００８】
以下、本考案の実施形態に係る蛇口用連結具１を添付図面に基づき詳細に説明する。図１において、蛇口用連結具１は円筒状の蛇口Ｆに連結され、例えば手を洗う等の用途に用いる流出口Ａとホース等が連結される散水用の流出口Ｂとを選択可能なタイマ付の蛇口用連結具である。蛇口用連結具１は、タイマによって所定時間後に、蛇口Ｆから流れてくる水Ｗの流れを止める。
【０００９】
図２は、図１のＡ’−Ａ’線断面図であり、図２に示すように、蛇口用連結具１は、蛇口接続部１１と蛇口接続部１１よりも下側に設けられる連結具本体固定部１２とを有する蛇口固定部１０と、連結具本体固定部１２に固定され、蛇口Ｆ（図１参照）からの水Ｗを受け入れる流入口２１を有する連結具本体２０とを備えている。
【００１０】
図８は、図１のＢ’−Ｂ’線断面図である。なお、図８はタイマの構造部分を省略している。実施形態では、図８に示すように、連結具本体２０は、２つの流出口Ａ，Ｂを有している。流出口Ａは、連結具本体２０の下方に設けられ、流出口Ｂは、連結具本体２０の側部に設けられている。
【００１１】
また、蛇口用連結具１は、流出口Ａに連通して設けられ、流出口Ａから流出する水Ｗの流出状態を変える流出状態切換手段３０を有している。流出状態切換手段３０は、流出口Ａの下方に設けられている。
【００１２】
なお、図１では、流出口Ａ及び流出口Ｂの位置は、およその位置を示し、図２では、流出状態切換手段３０の一部を省略して示している。これら、流出口Ａ及び流出口Ｂ、並びに流出状態切換手段３０の詳しい位置については後に述べる。
【００１３】
以下に蛇口固定部１０についてより詳細に述べる。図１及び図２に示すように、蛇口接続部１１は、円筒状の蛇口Ｆ取り囲むようにリング形状に形成されている。蛇口接続部１１と連結具本体固定部１２との間には、可撓性のパッキン１３が設けられている（図２参照）。パッキン１３は、蛇口Ｆと密着できるようにリング形状に形成されている。
【００１４】
例えば、蛇口Ｆと蛇口接続部１１との接続は、蛇口接続部１１とパッキン１３に蛇口Ｆを挿入し、蛇口接続部１１を連結具本体固定部１２にねじ込む、又は嵌めこむことによって行うことができる。このとき、パッキン１３が撓んで蛇口Ｆに密着する。また、蛇口接続部１１と連結具本体固定部１２とにパッキン１３が密着し、蛇口固定部１０からの水Ｗの外部への漏れを防ぐ。
【００１５】
以下に連結具本体２０についてより詳細に述べる。図１及び図２において、連結具本体２０は、流入口２１から流入する水Ｗを通水状態から所定時間で止水状態に切換える止水手段２２と、止水手段２２の止水手段流出口２２０よりも下流に設けられる少なくとも２つの流出口Ａ，Ｂ（図８参照）と、止水手段流出口２２０から流出する水Ｗをいずれの流出口Ａ，Ｂに供給するかを選択する流出口選択手段２３とを有する。
【００１６】
図２及び図３において、止水手段２２は、流入口２１に連通する第１流路Ｆ１と、第１流路Ｆ１の第１流出口端部Ｆ１０を開閉する弁２２１と、第１流出口端部Ｆ１０から流出する水Ｗを止水手段流出口２２０に導く第２流路Ｆ２と、弁２２１に一端側２２２０が接続されたピン２２２と、ピン２２２を所定時間だけ一端側２２２０に移動させる移動機構２４とを備えている。
【００１７】
通水状態を示す図３（ａ）において、ピン２２２が、移動機構２４で所定時間だけ一端側２２２０に移動され、それに伴い弁２２１も所定時間だけ第１流出口端部Ｆ１０から離間し、弁２２１が離間する所定時間の間、第１流出口端部Ｆ１０から止水手段流出口２２０へ水Ｗが流出する。
【００１８】
止水状態を示す図３（ｂ）において、ピン２２２は、弾性体であるばね２２３によって、図２に示した他端側２２２１に押されている。したがって、ピン２２２は、移動機構２４によって一端側２２２０に移動されないときは、他端側２２２１に押され、弁２２１が第１流出口端部Ｆ１０に密着し、第１流出口端部Ｆ１０から止水手段流出口２２０への水Ｗの流出を止めている。
【００１９】
図４及び図５に示すように、移動機構２４は、ピン２２２の他端側２２２１端面が当接する当接面２５２０を有するダイヤル部２５と、ダイヤル部２５に設けられたダイヤル部材２５１の回転方向と逆方向に所定時間をかけてダイヤル部材２５１を回転させて回転前の初期位置Ｓに戻すダイヤル部材２５１に接続された発条２６とを備え、当接面２５２０がダイヤル部材２５１の回転に応じてピン２２２の当接位置を一端側２２２０（図２参照）に移動させるように形成されている。ここで、ダイヤル部材２５１が初期位置Ｓでは、止水手段２２は止水状態にある。
【００２０】
図２、図４及び図５において、発条２６は、回転軸２６０を備えており、回転軸２６０は、連結具本体２０の蓋部２７に形成された孔２７０を通して、ダイヤル部材２５１に接続されている。蓋部２７の形状は略円盤形状である。ここで、ダイヤル部２５は、蓋部２７とダイヤル部材２５１との間に、当接面２５２０を有する移動部材２５２を備えている。
【００２１】
実施形態では、図５に示すように、初期位置Ｓからダイヤル部材２５１を連結具本体２０に向って時計回りであるタイマセット方向ＴＳに回転させると、発条２６は、徐々にほどけて回転軸２６０が反時計回りである逆方向ＵＴに回転し、タイマとして機能する。図２、図４及び図５では、ダイヤル部材２５１に形成された指示矢印ＩＲが初期位置Ｓを示している。
【００２２】
図４に示すように、ダイヤル部材２５１の形状は、有底の略円筒形状で底にリブ２５１０が形成されている。移動部材２５２の形状は、リングを半分に割った略半リング形状で、その両端に２つの支点２５２１が形成されている。２つの支点２５２１の形状は、略半円盤形状である。また、図５に示すように、両端の中間部に、ダイヤル部材２５１に向って突出した山形形状の凸部２５２２と、略半リング形状の移動部材２５２の外周から外方に向かって突出する凸部２５２３を有している。
【００２３】
蓋部２７の外側には、図５に示すように、リブ２７１が形成され、リブ２７１には、上記で説明した移動部材２５２の２つの支点２５２１に対応する形状及び位置に２つの切欠き２７１０が形成されている。２つの支点２５２１は、それぞれ対応する切欠き２７１０に可動可能に嵌っている。また、リブ２７１には凸部２５２３に対応する形状及び位置に切欠き２７１１が形成されている。凸部２５２２は、切欠き２７１１の中をピン２２２の両端方向に移動可能に収まっている。
【００２４】
移動部材２５２は、２つの支点２５２１が切欠き２７１０に嵌った状態で動き、凸部２５２３が切欠き２７１１の中をピン２２２の両端方向に移動する。移動部材２５２の移動に伴って、当接面２５２０もピン２２２の両端方向に移動する。
【００２５】
図５において、止水状態で指示矢印ＩＲが初期位置Ｓを示しているときは、移動部材２５２の凸部２５２２は、図６に示されるダイヤル部材２５１の内側に形成されたリブ２５１０のＶ字形状の切欠き２５１１に嵌っている。ここで、ダイヤル部材２５１を回転させると、移動部材２５２の凸部２５２２は、切欠き２５１１からリブ２５１０に乗り上げ、移動部材２５２の凸部２５２３側がピン２２２の一端側２２２０方向に向かって移動する。それに伴い、当接面２５２０もピン２２２の他端側２２２１を押しながら一端側２２２０に向かって移動し、止水手段２２が通水状態、つまり、図３（ｂ）に示される状態から図３（ａ）に示されるように弁２２１が開き第２流路Ｆ２へと水が流れる。
【００２６】
なお、上記では、移動部材２５２がピン２２２の軸方向に変位する場合を示したが、図４に示される当接面２５２０がダイヤル部材２５１の回転に応じてピンの当接位置を一端側２２２０（図２参照）に移動させるように回転方向に傾斜した面に形成されていてもよい。この場合、ダイヤル部２５の移動部材２５２を省略し、リブ２５１０が回転方向に傾斜した面を有し、ピン２２２がリブ２５１０の傾斜した面に当接していてもよい。このようにすれば、ダイヤル部材２５１が回転すると、リブ２５１０の傾斜した面がずれながらピン２２２を一端側２２２０方向に向かって押す。
【００２７】
実施形態では、移動部材２５２を設けることで、当接面２５２０がピン２２２の両端方向に動き、当接面がずれながらピン２２２の他端側２２２１を押す場合と比較して、摩擦による負荷が少なく、摩耗やピン２２２の破損が起こりにくい。
【００２８】
図７（ａ）において、ダイヤル部材２５１は、発条２６による回転力によって回転しないようにする回転停止手段２５１２を有する。回転停止手段２５１２は、ダイヤル部材２５１の外周から内側に向かって突出して形成されている。
【００２９】
図７（ｂ）において、止水状態である初期状態Ｓの位置に対して、タイマセット方向ＴＳである時計回り方向とは反対方向ＵＴに少しずれた位置に、蓋部２７の中心に向かって弾性変形可能な山形形状を有する突起２７２が、回転停止手段２５１２が回転して当たる位置に形成されている。回転停止手段２５１２は、反対方向ＵＴに回転すると突起２７２に当たって、発条２６の回転する力に抗してダイヤル部材２５１の回転を止めている。
【００３０】
タイマを利かせないで、通水状態にする場合は、ダイヤル部材２５１をタイマセット方向ＴＳとは反対方向ＵＴに力を加えて回す。回転停止手段２５１２は、突起２７２を変形させながら乗り越えて反対方向ＵＴに移動する。突起２７２のタイマセット方向ＴＳとは反対方向ＵＴには、弾性変形が困難な突起２７３が形成され、回転停止手段２５１２が突起２７３に当たり、ダイヤル部材２５１の回転が停止する。この状態で、移動部材２５２の凸部２５２２は、切欠き２５１１からリブ２５１０に乗り上げ、移動部材２５２の当接面２５２０がピン２２２の一端側２２２０方向に向かって移動する。ピン２２２の移動に伴って、止水手段２２が通水状態になる。
【００３１】
図８及び図９は、図１のＢ’−Ｂ’線断面図を示すものである。但し、上記で説明したタイマの構造部分については図示を省略し、図２の止水手段流出口２２０の部分から下の流出口選択手段２３の部分を示すものである。また、図８及び図９では、図１に示されるホース取付け用付属部品Ｃを省略している。図８及び図９において、連結具本体２０は、止水手段流出口２２０が形成された内側周面２８０と流出口Ａ，Ｂにそれぞれ連通する複数の流入開口Ａ１，Ｂ１が形成された底部２８１とを有する筒状空間２８を備えている。図８は、水Ｗが流出口Ａに流れている状態を示し、図９は、水Ｗが流出口Ｂに流れている状態を示している。
【００３２】
流出口選択手段２３は、筒状空間２８内に回転可能に配置された筒状部材２３０からなり、筒状部材２３０が、筒状部材２３０の側周部に止水手段流出口２２０に対応する孔２３１と筒状部材２３０の底部に流入開口Ａ１，Ｂ１に対応する孔２３２とを有し、孔２３２が、各流入開口Ａ１，Ｂ１に対応する筒状部材２３０の回転位置を選択した場合に、その対応する流入開口Ａ１，Ｂ１と止水手段流出口２２０とだけに連通するように形成されている。
【００３３】
また、筒状部材２３０に一方が接続され、他方に軸部２３３を有する操作部材２３４と、軸部２３３に装着される摘み部材２３５と、筒状空間２８の底部に対向する連結具本体２０の側部に形成され、筒状空間２８を外部に開口する開口部２８２と、開口部２８２を塞ぐように設けられ、軸部２３３を挿通する挿通孔２９０を有する蓋部材２９とを備え、筒状部材２３０及び操作部材２３４が開口部２８２から筒状空間２８内に挿入され、蓋部材２９が、軸部２３３を挿通孔２９０に挿通して軸部２３３を連結具本体２０の外部に突出させた状態で開口部２８２を塞ぎ、摘み部材２３５が、外部に突出した軸部２３３に装着されている。
【００３４】
摘み部材２３５を摘んで回転させることにより操作部材２３４が回転し、操作部材２３４の回転に伴い、筒状部材２３０が回転して回転位置を選択することができる。回転位置を選択することにより、孔２３２が選択された流入開口Ａ１と流入開口Ｂ１のどちらか一方に連通し、水Ｗの流出口を流出口Ａか流出口Ｂかに選択できる。筒状部材２３０には、図示しないＯリングが設けられ、孔２３２が流入開口Ａ１と流入開口Ｂ１のどちらか一方に連通しているときに、他方への通水を防いでいる。
【００３５】
以下に流出状態切換手段３０についてより詳細に述べる。図１０及び図１１において、流出状態切換手段３０は、水Ｗを図１０に示した小径流出状態と図１１に示した大径流出状態とに切り換える。
【００３６】
流出状態切換手段３０は、連結具本体２０にねじ３１で回転可能に取り付けられている。流出状態切換手段３０は、略円盤状の蓋部材３２と流出状態を切り換える切換え部材３３を備えている。切換え部材３３は、底に孔が形成された浅い鍋形状を有している。
【００３７】
蓋部材３２には、流出口Ａに連通する２つの孔３２０と孔３２１が円周方向に離間して形成されている。蓋部材３２の回転によって流出口Ａに連通する孔が、孔３２０と孔３２１とに切り換わる。
【００３８】
切換え部材３３の底には、略円盤状の蓋部材３２の外周に合わせて、円状に外壁３３０が形成されている。また、外壁３３０の内側には、内壁３３１が形成されている。内壁３３１は、外壁３３０と略同心円状に形成され、一部が外壁３３０に向って突出するように突出部３３１０として形成されている。切換え部材３３の内壁３３１の内側底部には、流出口Ａに対応する小径流出状態用の複数の孔３３２が形成され、外壁３３０と内壁３３１との間の底部には、大径流出状態用の複数の孔３３３が形成されている。
【００３９】
内壁３３１の内側底部からは、小径のシャワーが流出し、内壁３３１と外壁３３０との間の底部からは、大径のシャワーが流出する。ここで、流出口Ａに対応する小径流出状態用の孔３３２が１つで、シャワーでなくいわゆるストレートの流れである一筋の水の流れであってもよい。
【００４０】
蓋部材３２は、切換え部材３３に対して、孔３２０が内壁３３１の突出部３３１０で内壁３３１の内側に、孔３２１が内壁３３１と外壁３３０との間にくるように配置され、内壁３３１と外壁３３０とに密着するように被せられている。また、切換え部材３３の内側に向かって設けられた突起３３４を挟み込むように蓋部材３２に形成された２つの突起３２２，３２３によって回転方向にずれないように固定されている。切換え部材３３を回転させることによって、蓋部材３２も回転する。
【００４１】
切換え部材３３の回転は、蓋部材３２の連結具本体２０に向けて形成された２つの凹部３２４，３２５のどちらかに図示しない連結具本体２０の部材または部分が嵌ることで、２つのどちらかの位置で止まり、流出状態を切り替える。蓋部材３２の回転中心に対し２つの凹部３２４，３２５がなす角度は、回転中心に対して孔３２０と孔３２１とがなす角度に対応している。
【００４２】
例えば、連結具本体２０の凸部としてばね等で蓋部材３２にむけて押されたボール等を用いることができる。また、蓋部材３２の連結具本体２０に向かう面には、回転中心に対して孔３２０と孔３２１とがなす角度に対応した長さを有する円周方向に延びる溝３２６が形成されている。ここで、図示しない連結具本体２０の突起が溝３２６に嵌りこみ、流出状態切換手段３０の回転方向の動きを、流出口Ａに連通する孔が、孔３２０と孔３２１とに最短で切り換わる動きに規制している。
【００４３】
蓋部材３２によって、内壁３３１は、小径のシャワーの流出部と大径のシャワーの流出部とを仕切る仕切り壁としての役割を果たす。一方、外壁３３０は、水Ｗが外に漏れるのを防いでいる。
【００４４】
本実施形態によれば、より簡易な構造で水Ｗの流出口Ａと流出口Ｂとを選択できるタイマ付の蛇口用連結具１を提供できる。
【００４５】
以上述べた実施形態において、流出口が２つ設けられていたが、流出口は３以上であってもよい。また、散水用の流出口Ｂにはホースに限らず、散水チューブ、潅水ホース、水やりチューブを接続することができる。
【符号の説明】
【００４６】
１  蛇口用連結具
１０  蛇口固定部
１１  蛇口接続部
１２  連結具本体固定部
１３  パッキン
２０  連結具本体
２１  流入口
２２  止水手段
２３  流出口選択手段
２４  移動機構
２５  ダイヤル部
２６  発条
２７  蓋部
２８  筒状空間
２９  蓋部材
３０  流出状態切換手段
３１  ねじ
３２  蓋部材
３３  切換え部材
２２０  止水手段流出口
２２１  弁
２２２  ピン
２２３  ばね
２３０  筒状部材
２３２  孔
２３３  軸部
２３４  操作部材
２３５  摘み部材
２５１  ダイヤル部材
２５２  移動部材
２６０  回転軸
２７０  孔
２７１  リブ
２７２  突起
２７３  突起
２８０  内側周面
２８１  底部
２８２  開口部
２９０  挿通孔
３２０  孔
３２１  孔
３２２  突起
３２３  突起
３２４，３２５  凹部
３２６  溝
３３０  外壁
３３１  内壁
３３２  孔
３３３  孔
３３４  突起
２２２０  一端側
２２２１  他端側
２５１０  リブ
２５１１  切欠き
２５１２  回転停止手段
２５２０  当接面
２５２１  支点
２５２２  凸部
２５２３  突出する凸部
２７１０  切欠き
２７１１  切欠き
３３１０  突出部
Ａ１，Ｂ１  流入開口
Ｆ１  第１流路
Ｆ２  第２流路
Ｆ１０  第１流出口端部
Ａ  流出口
Ｂ  流出口
Ｃ  ホース取付け用付属部品
Ｆ  蛇口
Ｓ  初期位置
Ｗ  水
ＩＲ  指示矢印
ＴＳ  タイマセット方向
ＵＴ  反対方向
【図１】
0003190281.tif 000003
【図２】
0003190281.tif 000004
【図３】
0003190281.tif 000005
【図４】
0003190281.tif 000006
【図５】
0003190281.tif 000007
【図６】
0003190281.tif 000008
【図７】
0003190281.tif 000009
【図８】
0003190281.tif 000010
【図９】
0003190281.tif 000011
【図１０】
0003190281.tif 000012
【図１１】
0003190281.tif 000013